(57)【要約】【課題】プリンタ利用ポジションを判別してプリンタ利用時にのみ表示部に印刷関連情報を表示する装置および方法を提供する。【解決手段】フォトフレーム部とプリンタ部を有する情報処理装置において、（Ａ）横画像表示ポジション、（Ｂ）縦画像表示ポジション、（Ｃ）印刷ポジション、これらの３ポジションを、三次元センサを用いて判別する。（Ｃ）印刷ポジションにあると判定した場合にのみ表示部に印刷設定情報などの印刷関連情報を表示する。さらに、用紙トレイのセットなど印刷準備が完了したことが確認された場合に、操作パネルに印刷開始用のスイッチとして機能するアイコンを表示する。この構成により、フォトフレームとして利用する場合には、印刷関連情報の表示を行なわず、すっきりとした外観に設定することができる。【選択図】図６
2011042112.tif 000002
【特許請求の範囲】
【請求項１】
印刷処理を実行するプリンタ部と、
画像表示および前記プリンタ部を利用した印刷処理の設定情報を含む印刷関連情報の表示を行う表示部と、
情報処理装置の設定ポジションが画像表示ポジションであるか印刷ポジションであるかを判別可能な検出信号を出力する位置センサと、
前記位置センサの検出信号を入力し、前記情報処理装置が印刷ポジションにあると判定した場合に、前記表示部に前記印刷関連情報の表示を実行する制御部と、
を有する情報処理装置。
【請求項２】
前記情報処理装置は、さらに、
前記プリンタの制御用アイコンを表示する操作パネルを有し、
前記制御部は、
前記プリンタ部から印刷準備が完了したか否かを示す印刷準備完了情報を入力し、印刷準備完了が確認された場合に、前記操作パネルに前記制御用アイコンの表示を行う請求項１に記載の情報処理装置。
【請求項３】
前記情報処理装置は、さらに、
前記プリンタ部に対して用紙トレイが装着されたか否かを検出するトレイセンサと、
前記プリンタ部に対して印刷インクリボンが装着されたか否かを検出するインクリボンセンサを有し、
前記制御部は、前記トレイセンサの検出情報を入力して用紙トレイが装着されたことを確認し、前記インクリボンセンサの検出情報を入力してインクリボンが装着されたことを確認した場合に、印刷準備完了が確認されたと判断して前記操作パネルに前記制御用アイコンの表示を行う請求項２に記載の情報処理装置。
【請求項４】
前記操作パネルに表示する前記制御用アイコンは、前記プリンタ部による印刷処理の開始スイッチであり、
前記制御部は、
印刷準備完了が確認されたと判断した場合、前記操作パネルの前記制御用アイコン表示領域に設定されたタッチセンサ機能を有効化する制御を行う請求項２または３に記載の情報処理装置。
【請求項５】
前記操作パネルは半透明シートの下部に前記制御用アイコン表示用のＬＥＤを設定した構成であり、
前記制御部は、
印刷準備完了が確認されたと判断した場合、前記ＬＥＤの発光処理を行い、前記制御用アイコンを前記操作パネル上で視認可能とする制御を行う請求項２〜４いずれかに記載の情報処理装置。
【請求項６】
前記情報処理装置は、
前記表示部を横長の設定とした横画像表示ポジションと、
前記表示部を縦長の設定とした縦画像表示ポジションと、
前記プリンタ部を利用した印刷処理を実行する印刷ポジションの３ポジションの設定が可能であり、
前記センサは、少なくとも上記３ポジションを判別可能な検出信号を出力する三次元センサであり、
前記制御部は、前記三次元センサの検出信号を入力し、前記情報処理装置が印刷ポジションにあると判定した場合に、前記表示部に前記印刷関連情報の表示を実行し、
前記情報処理装置が横画像表示ポジションまたは縦画像表示ポジションにあると判定した場合は、前記表示部に前記印刷関連情報を表示しない制御を行う請求項１〜５いずれかに記載の情報処理装置。
【請求項７】
プリンタ部および表示部を有する情報処理装置において実行する情報処理方法であり、
位置センサが、情報処理装置の設定ポジションが画像表示ポジションであるか印刷ポジションであるかを判別可能な検出信号を出力するステップと、
制御部が、前記位置センサの検出信号を入力し、前記情報処理装置が印刷ポジションにあると判定した場合に、前記プリンタ部を利用した印刷処理の設定情報を含む印刷関連情報を前記表示部に表示する処理を行う印刷関連情報表示ステップと、
を有する情報処理方法。
【請求項８】
プリンタ部および表示部を有する情報処理装置において情報処理を実行させるプログラムであり、
制御部に、情報処理装置の設定ポジションが画像表示ポジションであるか印刷ポジションであるかを判別可能な検出信号を位置センサから入力させるステップと、
前記制御部に、前記位置センサの検出信号に基づいて前記情報処理装置が印刷ポジションにあるか否かを判定させるステップと、
前記制御部において前記情報処理装置が印刷ポジションにあるとの判定がなされた場合、前記制御部に、前記プリンタ部を利用した印刷処理の設定情報を含む前記印刷関連情報を前記表示部に表示する処理を行わせる印刷関連情報表示ステップと、
を有するプログラム。
【発明の詳細な説明】
【技術分野】
【０００１】
本発明は、情報処理装置、および情報処理方法、並びにプログラムに関する。さらに詳細には、画像表示機能とプリンタ機能を兼ね備えた情報処理装置において、装置の利用態様に応じた情報の表示制御を行う情報処理装置、および情報処理方法、並びにプログラムに関する。
【背景技術】
【０００２】
近年、例えばデジタルカメラで撮影した写真などを表示する写真立てタイプの表示装置としてデジタルフォトフレームが多く利用されている。デジタルフォトフレームは、例えばデジタルカメラの撮影画像を記録したフラッシュメモリなどの記録メディアを装着してメディアの記録画像を液晶ディスプレイ（ＬＣＤ）等からなる表示部に表示する機能を持つ。ユーザはメディアに記録された多数の画像データから選択した好みの写真を表示部に表示してフォトフレームとして利用することができる。なお、フォトフレームについては例えば特許文献１（特開２００９−４５１３９号公報）に記載がある。
【０００３】
また、例えばＵＳＢ端子からＵＳＢケーブルを介してプリンタと接続して表示部に表示された画像をプリンタに出力することを可能とした構成を持つものもある。このようなプリント出力機能を持つ装置は、プリント時の様々な設定やコマンド入力などをリモコンやタッチパネル形式の表示部、あるいは表示部周りのスペースに設けた操作スイッチや操作ボタンなどを利用して行う。
【０００４】
しかしながら、フォトフレームとして利用する場合、プリント用のスイッチやボタンなどが表示部内、あるいは表示部の周囲に見えてしまうと目障りであり、美観を損ね高級感が失われるといった問題がある。プリント用の操作ボタンを表示部の裏側などに設けるといった構成も可能であるが、このような構成とすると、表示部の画像を見ながらプリントする場合に、操作が困難になるといった問題がある。
【先行技術文献】
【特許文献】
【０００５】
【特許文献１】特開２００９−４５１３９号公報
【発明の概要】
【発明が解決しようとする課題】
【０００６】
本発明は、例えば上記問題点に鑑みてなされたものであり、画像表示機能とプリンタ機能を兼ね備えた装置において、例えばプリンタの設定や制御情報の表示を必要な場合のみ、例えばプリンタの使用時にのみ表示することを可能とした情報処理装置、および情報処理方法、並びにプログラムを提供することを目的とする。
【課題を解決するための手段】
【０００７】
本発明の第１の側面は、
印刷処理を実行するプリンタ部と、
画像表示および前記プリンタ部を利用した印刷処理の設定情報を含む印刷関連情報の表示を行う表示部と、
情報処理装置の設定ポジションが画像表示ポジションであるか印刷ポジションであるかを判別可能な検出信号を出力する位置センサと、
前記位置センサの検出信号を入力し、前記情報処理装置が印刷ポジションにあると判定した場合に、前記表示部に前記印刷関連情報の表示を実行する制御部と、
を有する情報処理装置にある。
【０００８】
さらに、本発明の情報処理装置の一実施態様において、前記情報処理装置は、さらに、前記プリンタの制御用アイコンを表示する操作パネルを有し、前記制御部は、前記プリンタ部から印刷準備が完了したか否かを示す印刷準備完了情報を入力し、印刷準備完了が確認された場合に、前記操作パネルに前記制御用アイコンの表示を行う。
【０００９】
さらに、本発明の情報処理装置の一実施態様において、前記情報処理装置は、さらに、前記プリンタ部に対して用紙トレイが装着されたか否かを検出するトレイセンサと、前記プリンタ部に対して印刷インクリボンが装着されたか否かを検出するインクリボンセンサを有し、前記制御部は、前記トレイセンサの検出情報を入力して用紙トレイが装着されたことを確認し、前記インクリボンセンサの検出情報を入力してインクリボンが装着されたことを確認した場合に、印刷準備完了が確認されたと判断して前記操作パネルに前記制御用アイコンの表示を行う。
【００１０】
さらに、本発明の情報処理装置の一実施態様において、前記操作パネルに表示する前記制御用アイコンは、前記プリンタ部による印刷処理の開始スイッチであり、前記制御部は、印刷準備完了が確認されたと判断した場合、前記操作パネルの前記制御用アイコン表示領域に設定されたタッチセンサ機能を有効化する制御を行う。
【００１１】
さらに、本発明の情報処理装置の一実施態様において、前記操作パネルは半透明シートの下部に前記制御用アイコン表示用のＬＥＤを設定した構成であり、前記制御部は、印刷準備完了が確認されたと判断した場合、前記ＬＥＤの発光処理を行い、前記制御用アイコンを前記操作パネル上で視認可能とする制御を行う。
【００１２】
さらに、本発明の情報処理装置の一実施態様において、前記情報処理装置は、前記表示部を横長の設定とした横画像表示ポジションと、前記表示部を縦長の設定とした縦画像表示ポジションと、前記プリンタ部を利用した印刷処理を実行する印刷ポジションの３ポジションの設定が可能であり、前記センサは、少なくとも上記３ポジションを判別可能な検出信号を出力する三次元センサであり、前記制御部は、前記三次元センサの検出信号を入力し、前記情報処理装置が印刷ポジションにあると判定した場合に、前記表示部に前記印刷関連情報の表示を実行し、前記情報処理装置が横画像表示ポジションまたは縦画像表示ポジションにあると判定した場合は、前記表示部に前記印刷関連情報を表示しない制御を行う。
【００１３】
さらに、本発明の第２の側面は、
プリンタ部および表示部を有する情報処理装置において実行する情報処理方法であり、
位置センサが、情報処理装置の設定ポジションが画像表示ポジションであるか印刷ポジションであるかを判別可能な検出信号を出力するステップと、
制御部が、前記位置センサの検出信号を入力し、前記情報処理装置が印刷ポジションにあると判定した場合に、前記プリンタ部を利用した印刷処理の設定情報を含む印刷関連情報を前記表示部に表示する処理を行う印刷関連情報表示ステップと、
を有する情報処理方法にある。
【００１４】
さらに、本発明の第３の側面は、
プリンタ部および表示部を有する情報処理装置において情報処理を実行させるプログラムであり、
制御部に、情報処理装置の設定ポジションが画像表示ポジションであるか印刷ポジションであるかを判別可能な検出信号を位置センサから入力させるステップと、
前記制御部に、前記位置センサの検出信号に基づいて前記情報処理装置が印刷ポジションにあるか否かを判定させるステップと、
前記制御部において前記情報処理装置が印刷ポジションにあるとの判定がなされた場合、前記制御部に、前記プリンタ部を利用した印刷処理の設定情報を含む前記印刷関連情報を前記表示部に表示する処理を行わせる印刷関連情報表示ステップと、
を有するプログラムにある。
【００１５】
なお、本発明のプログラムは、例えば、様々なプログラム・コードを実行可能な画像処理装置やコンピュータ・システムに対して、コンピュータ可読な形式で提供する記憶媒体、通信媒体によって提供可能なプログラムである。このようなプログラムをコンピュータ可読な形式で提供することにより、画像処理装置やコンピュータ・システム上でプログラムに応じた処理が実現される。
【００１６】
本発明のさらに他の目的、特徴や利点は、後述する本発明の実施例や添付する図面に基づく詳細な説明によって明らかになるであろう。なお、本明細書においてシステムとは、複数の装置の論理的集合構成であり、各構成の装置が同一筐体内にあるものには限らない。
【発明の効果】
【００１７】
本発明の一実施例の構成によれば、プリンタ部および表示部を有するデジタルフォトフレームなどの情報処理装置において、プリンタ利用ポジションを判別してプリンタ利用時にのみ表示部に印刷関連情報を表示することが可能となる。具体的には、フォトフレーム部とプリンタ部を有する情報処理装置において、（Ａ）横画像表示ポジション、（Ｂ）縦画像表示ポジション、（Ｃ）印刷ポジション、これらの３ポジションを、三次元センサを用いて判別する。制御部が、センサ検出信号によって（Ｃ）印刷ポジションにあると判定した場合にのみ表示部に印刷設定情報などの印刷関連情報を表示する。さらに、用紙トレイのセットなど印刷準備が完了したことが確認された場合に、操作パネルに印刷開始用のスイッチとして機能するアイコンを表示する。この構成により、フォトフレームとして利用する場合には、印刷関連情報の表示を行なわず、すっきりとした外観に設定することができる。
【図面の簡単な説明】
【００１８】
【図１】本発明の情報処理装置の利用態様の例について説明する図である。
【図２】本発明の情報処理装置のプリンタとしての利用処理例について説明する図である。
【図３】本発明の情報処理装置の各利用態様における設定について説明する図である。
【図４】本発明の情報処理装置の各利用態様におけるプリンタ部の設定について説明する図である。
【図５】本発明の情報処理装置のハードウェア構成例について説明する図である。
【図６】本発明の情報処理装置の実行する処理シーケンスについて説明するフローチャートを示す図である。
【図７】本発明の情報処理装置の表示部に表示する印刷関連情報の例について説明する図である。
【図８】本発明の情報処理装置の表示部に表示する印刷関連情報と操作パネルに表示するプリンタ用アイコンの例について説明する図である。
【発明を実施するための形態】
【００１９】
以下、図面を参照しながら、本発明の情報処理装置、および情報処理方法、並びにプログラムについて説明する。説明は、以下の順番で行なう。
１．本発明の情報処理装置の概要について
２．位置センサによる判別態様の詳細について
３．情報処理装置のハードウェア構成例について
４．情報処理装置の実行する処理シーケンスについて
【００２０】
［１．本発明の情報処理装置の概要について］
まず、本発明の情報処理装置の概要について図１を参照して説明する。本発明の情報処理装置は、画像表示機能とプリンタ機能を兼ね備えた装置である。いわゆるデジタルフォトフレームとしての機能とプリンタとしての機能を持つ。図１には本発明の情報処理装置１００の利用形態を示している。
【００２１】
図１には、本発明の情報処理装置１００の３つの利用形態（Ａ），（Ｂ），（Ｃ）を示している。（Ａ）と（Ｂ）はデジタルフォトフレームとしての利用形態、（Ｃ）はプリンタとしての利用形態である。
図１に示す（Ａ），（Ｂ），（Ｃ）各々の設定ポジションを以下のように定義する。
（Ａ）横画像表示ポジション
（Ｂ）縦画像表示ポジション
（Ｃ）印刷ポジション
【００２２】
（Ａ）横画像表示ポジションは、表示部１１１に横長の表示画像を表示するために適したポジションである。
（Ｂ）縦画像表示ポジションは、表示部１１１に縦長の表示画像を表示するために適したポジションである。
（Ｃ）印刷ポジションは、プリンタ部１２０を利用した印刷処理を実行するためのポジションである。
【００２３】
情報処理装置１００は図１に示すように、液晶表示部（ＬＣＤ）等からなる表示部１１１を備えたフォトフレーム部１１０と、プリンタ部１２０によって構成される。フォトフレーム部１１０とプリンタ部１２０は、図１（Ａ）の下端部近傍に設定された回転軸によって連結されており、相互に回動可能な構成となっている。回動することで、図１（Ｃ）のような印刷ポジションの設定となる。
【００２４】
図１（Ａ），（Ｂ）に示す画像表示ポジションは、フォトフレーム部１１０を、プリンタ部１２０に密着させた閉じた状態である。この（Ａ），（Ｂ）に示す画像表示ポジションは、横置きと縦置きの変更のみである。図１（Ｃ）に示す印刷ポジションは、フォトフレーム部１１０を、プリンタ部１２０から離間させるように回動させて開いた状態である。
【００２５】
なお、図１（Ａ）、（Ｂ）のフォトフレーム部１１０の表示部１１１には、同じ縦長の写真からなる表示画像１３０を示している。（Ａ）横画像表示ポジション、（Ｂ）縦画像表示ポジションのいずれにおいても、表示画像１３０は、上下方向が正しく表示される。この表示画像の制御は情報処理装置１００の内部のセンサ検出情報を用いた制御処理として行われる。
【００２６】
センサ検出情報に応じて情報処理装置１００内部の制御部が、（Ａ）横画像表示ポジションに設定されているか、（Ｂ）縦画像表示ポジションに設定されているかを判別して、画像の表示態様を変更する。なお、このような画像表示制御は従来の装置と同様である。
【００２７】
本発明の情報処理装置１００の大きな特徴の１つは、（Ａ）横画像表示ポジション、（Ｂ）縦画像表示ポジションの判別のみならず、（Ｃ）印刷ポジションについても判別可能な構成を有する点である。
本発明の情報処理装置１００は、
（Ａ）横画像表示ポジション
（Ｂ）縦画像表示ポジション
（Ｃ）印刷ポジション
これらの３ポジションのいずれの状態にあるかを判別する位置センサ、例えば三次元センサを情報処理装置１００の内部に備えている。
【００２８】
三次元センサの検出情報に応じて、情報処理装置１００が図１に示す（Ａ），（Ｂ），（Ｃ）のどのポジションに設定されているかを判別し、（Ｃ）印刷ポジションにあると判別された場合、図１（Ｃ）に示すように、表示部１１１に、プリンタ部１２０の制御情報や設定情報から構成されるアイコンなどの印刷関連情報１２５を表示する。
【００２９】
さらに、印刷ポジションにあり、かつ、用紙トレイ１２１やインクリボン等の装着が完了し、プリント開始可能状態に設定されたことが確認された場合、フォトフレーム部１１０の右端に構成された操作パネル１１２上にプリンタの操作スイッチ等のプリンタ用アイコン１２６を表示する。
【００３０】
操作パネル１１２の表面は、例えば半透明のシートによって構成されている。情報処理装置１００の制御部は、情報処理装置１００が印刷ポジションにあり、かつ、用紙トレイ１２１等の装着が完了し、プリント開始可能状態に設定されたことを確認した場合、シート下部に設定されたＬＥＤを点灯する。この結果、図１（Ｃ）に示すような［ＰＲＩＮＴ］の文字を持つ操作スイッチ用のアイコンが視認可能な状態に設定される。
【００３１】
情報処理装置１００が、（Ａ）横画像表示ポジション、または（Ｂ）縦画像表示ポジションに設定されている状態では、図１（Ｃ）に示す印刷関連情報１２５、プリンタ用アイコン１２６のいずれも非表示状態となる。
従って、（Ａ）横画像表示ポジション、または（Ｂ）縦画像表示ポジションに設定された状態では、表示部１１１に表示画像１３０のみが表示され、すっきりとした外観のフォトフレームとして利用することが可能となる。
【００３２】
本発明の情報処理装置１００をプリンタとして利用する場合、図１（Ｃ）に示す印刷ポジションに設定して、用紙トレイ１２１を装着することが必要となる。図２を参照して印刷処理を行う場合の手順について説明する。
【００３３】
プリンタとして利用する場合、図１（Ｃ）に示す印刷ポジションに設定し、図２（Ｃ１）に示すように、用紙トレイ１２１を装着する。その後、ユーザは図１（Ｃ）に示す［ＰＲＩＮＴ］の文字を持つプリンタ用アイコン１２６を触れる、または押下することでプリントが開始される。図１（Ｃ）に示すプリンタ用アイコン１２６上はタッチセンサとして構成されており、ユーザの指の接触を検出する。検出情報は情報処理装置内の制御部に入力され、制御部の制御の下でプリンタ部１２０の動作が開始される。なお、タッチセンサの有効化処理もプリンタ用アイコン１２６の表示処理に同期して実行される。従って、情報処理装置１００が、（Ａ）横画像表示ポジション、または（Ｂ）縦画像表示ポジションに設定されている状態では、ユーザがプリンタ用アイコン１２６上の位置に触れてもプリンタ動作は開始されない。
【００３４】
なお、図２（Ｃ１）に示すようにプリンタ部１２０の背面には、プリント用紙の入出口である用紙入出口１５１が設定される。開閉扉１５２は印刷ポジションに設定した場合に回動して開く構成となっている。
【００３５】
印刷実行時には、図２（Ｃ２）に示すように、プリント用紙１６０がプリンタ部１２０の背面の用紙入出口１５１を入出する処理を繰り返してプリント処理が実行される。例えばＹＭＣの各色単位で印刷処理が実行され、各色の印刷処理ごとにプリント用紙１６０が、用紙入出口１５１を介してプリンタ部１２０に出入りし、全ての色の印刷が終了すると、カラー印刷されたプリント用紙１６０が排出される。
【００３６】
前述したように、本発明の情報処理装置１００は、三次元センサを有し、三次元センサの検出情報に基づいて図１に示す（Ａ）〜（Ｃ）位置を判別する。すなわち、
（Ａ）横画像表示ポジション
（Ｂ）縦画像表示ポジション
（Ｃ）印刷ポジション
情報処理装置１００がこれらの３ポジション（Ａ）〜（Ｃ）のいずれの状態にあるかを判別する。
【００３７】
［２．位置センサによる判別態様の詳細について］
次に、位置センサ、具体的には例えば三次元センサを用いたポジション判別処理の詳細について、図３、図４を参照して説明する。図３には、図１に示す（Ａ）〜（Ｃ）の３つのポジションの各々についての正面図、上面図、側面図を示している。
【００３８】
（Ａ）横画像表示ポジションは、
正面図がフォトフレーム部１１０を横長に設定した状態となる。
上面図、側面図から理解されるように、フォトフレーム部１１０とプリンタ部１２０が密着した状態となる。
（Ｂ）縦画像表示ポジションは、
正面図がフォトフレーム部１１０を縦長に設定した状態となる。
上面図、側面図から理解されるように、フォトフレーム部１１０とプリンタ部１２０が密着した状態となる。
（Ｃ）印刷ポジションは、
正面図がプリンタ部１２０の上部にフォトフレーム部１１０が横長に設定された状態となる。
上面図、側面図から理解されるように、フォトフレーム部１１０とプリンタ部１２０は離間した状態となる。
【００３９】
情報処理装置１００内に設定された位置センサ（三次元センサ）は、プリンタ部１２０内部に設定されており、プリンタ部１２０の配置状態に応じて情報処理装置１００が、（Ａ）横画像表示ポジション、（Ｂ）縦画像表示ポジション、（Ｃ）印刷ポジション、これらの３ポジションのいずれの状態にあるかを判別する。
【００４０】
図４には、プリンタ部１２０の（Ａ）〜（Ｃ）の各状態における配置状態を分かりやすく示している。
図４下部に示す（Ｃ）印刷ポジションにおいて、
水平方向（左から右）をＸ方向、
垂直方向（下から上）をＹ方向、
奥行き方向をＺ方向とする。
【００４１】
この設定において、
（Ｃ）印刷ポジションでは、ＸＹ面が正面となり、ＸＺ面が下面となる。
その他の（Ａ），（Ｂ）のポジションでは、以下の設定となる。
（Ａ）横画像表示ポジションでは、ＸＺ面が正面となり、ＸＹ面が下面となる。
（Ｂ）縦画像表示ポジションでは、ＸＺ面が正面となり、ＹＺ面が下面となる。
【００４２】
このように、（Ａ）〜（Ｃ）の３状態の各々において、プリンタ部１２０の位置が異なる。従ってプリンタ部１２０の内部に三次元センサを設けることで、
（Ａ）横画像表示ポジション
（Ｂ）縦画像表示ポジション
（Ｃ）印刷ポジション
これらの３ポジション（Ａ）〜（Ｃ）のいずれの状態にあるかを判別することが可能となる。
【００４３】
なお、プリンタ部１２０内部に設ける位置センサは、図４に示す３つの位置を判別可能な構成であればよい。従って、例えば、２つの２軸傾きセンサを組み合わせた構成としてもよい。
【００４４】
具体的には、図４に示す（Ａ）（Ｂ）の２つの位置（ＸＹ面とＹＺ面のいずれが下面に設定されているか）を判別する２軸傾きセンサと、（Ａ）（Ｃ）の２つの位置（ＸＹ面とＸＺ面のいずれが下面に設定されているか）を判別する２軸傾きセンサとの組み合わせ構成からなるセンサを利用する構成としてもよい。
【００４５】
［３．情報処理装置のハードウェア構成例について］
次に、図５を参照して本発明の一実施例に係る情報処理装置１００のハードウェア構成例について説明する。図５に示すように、本発明の情報処理装置１００は、制御部２０１、表示部２０２、入力部２０３、位置センサ（三次元センサ）２０４、プリンタ部２０５、メディアＩＦ２０６、通信ＩＦ２０７、メモリ２０８を有する。
【００４６】
制御部２０１は、表示部２０２に対する画像表示制御、プリンタ部２０５の実行する印刷処理の制御、さらに位置センサ（三次元センサ）２０４の検出情報に基づくアイコンや操作スイッチの表示制御など、情報処理装置１００の実行する処理の制御を行う。制御部２０１は例えばプログラム実行機能を有するＣＰＵを持つ。制御部２０１において実行するプログラムは、例えばメモリ２０８に格納されている。
【００４７】
表示部２０２は、例えば液晶表示装置（ＬＣＤ）によって構成される表示部であり、図１を参照して説明した表示部１１１に対応する。例えばメモリ２０８に格納された画像や、メディアＩＦ２０６に装着されたフラッシュメモリなどに記録された画像を表示する。さらに、先に図１（Ｃ）を参照して説明した印刷関連情報１２５の表示も行う。
【００４８】
入力部２０３は、図１（Ｃ）を参照して説明した操作パネル１１２に対応する。入力部２０３として利用される操作パネルは、先に説明したように情報処理装置１００が印刷ポジションに設定され、かつ用紙トレイ等の装着など印刷可能状態に設定された場合にのみ視認可能な状態となるプリンタ用アイコン１２６（図１（Ｃ）参照）の表示領域として利用される。また、入力部２０３として利用される操作パネルはタッチセンサ機能を有し、ユーザの指を接触させることでプリントが開始される。
【００４９】
入力部２０３として利用される操作パネルは、例えば半透明のシートの下部に発光制御がなされるＬＥＤが備えられ、ＬＥＤ発光により、図１（Ｃ）に示すようなプリンタ用アイコン１２６が視認できる状態となる。
制御部２０１が位置センサ（三次元センサ）２０４の検出情報に基いて印刷ポジションに設定されたことを確認し、さらに印刷可能状態に至ったことを確認した場合、入力部２０３としての操作パネル上にプリント開始ボタンとしてのＬＥＤを発光させ、タッチセンサを機能させる有効化処理が行われる。この処理によって、ユーザはプリントボタンを操作し印刷を開始させることができる。
【００５０】
位置センサ（三次元センサ）２０４は、先に図１〜図４を参照して説明した、
（Ａ）横画像表示ポジション
（Ｂ）縦画像表示ポジション
（Ｃ）印刷ポジション
これらの３ポジション（Ａ）〜（Ｃ）のいずれの状態にあるかを判別するための検出信号を生成して制御部２０１に提供する。
【００５１】
位置センサ（三次元センサ）２０４は、プリンタ部に固定されており、先に図４を参照して説明した３つのポジション（Ａ）〜（Ｃ）を判別可能とする信号を制御部２０１に対して出力する。
制御部２０１は、位置センサ（三次元センサ）２０４の検出情報に応じて、表示部２０２の表示画像の制御、さらに、表示部２０２や入力部（操作パネル）２０３に対するアイコンや操作スイッチ等によって構成される印刷関連情報、プリンタ制御用情報、プリンタ設定情報の表示制御を行う。
【００５２】
プリンタ部２０５は、印刷処理の実行部である。
プリンタ部２０５は、トレイセンサ２１１、インクリボンセンサ２１２を有する。トレイセンサ２１１は、プリンタ部２０５に用紙トレイが装着されたか否かを検出する。インクリボンセンサ２１２は、プリンタ部２０５にインクリボンが装着されたか否かを検出する。これらの検出情報は、制御部２０１に提供される。制御部２０１は、これらの検出情報に応じて、入力部（操作パネル）２０３に対するプリンタ制御用情報、プリンタ設定情報の表示制御を行う。
【００５３】
メディアＩＦ２０６は、例えばデジタルカメラの撮影画像を記録したフラッシュメモリなどの記録メディアを装着する。装着された記録メディアの記録画像が制御部２０１の制御により読み込まれ表示部２０２に表示される。
【００５４】
通信ＩＦ２０７は、例えばＵＳＢ端子などの外部装置との接続部や、リモコンの出力信号の受信部によって構成される。ＵＳＢ端子に接続したＵＳＢケーブルにより外部のＰＣ、プリンタなどの外部装置と接続し、データの入出力を行う。
また、通信ＩＦ２０７は、情報処理装置１００に付属するリモコンの操作信号を受信する。受信信号は制御部２０１に入力され、制御部２０１の制御によってプリンタ部の２０５の設定変更や表示部２０２の表示変更処理などが行われる。
【００５５】
メモリ２０８は、ＲＡＭ、ＲＯＭ等によって構成され、制御部２０１の実行するプログラムの格納領域やプログラムの実行領域としてのワークエリアとして利用される。さらに、表示部２０２に対する表示画像の記憶領域、また制御部２０１の処理に適用するパラメータなどの記憶領域などにも利用される。
【００５６】
［４．情報処理装置の実行する処理シーケンスについて］
次に、本発明の情報処理装置の実行する処理シーケンスについて、図６に示すフローチャートを参照して説明する。図６に示す処理は、情報処理装置の制御部２０１の制御の下に実行される処理である。
【００５７】
ステップＳ１０１において、制御部２０１は、位置センサ（三次元センサ）２０４の検出情報を入力し、情報処理装置が印刷ポジション（図１（Ｃ）参照）に設定されているか否かを判定する。前述したように、位置センサ（三次元センサ）２０４は、プリンタ部に固定されており、先に図４を参照して説明した３つの状態を判別可能とする信号を制御部２０１に対して出力する。
【００５８】
制御部２０１は、位置センサ（三次元センサ）２０４の検出情報に応じて、情報処理装置が印刷ポジション（図１（Ｃ）参照）に設定されているか否かを判定する。情報処理装置が印刷ポジション（図１（Ｃ）参照）に設定されていると判定した場合は、ステップＳ１０２に進む。情報処理装置が印刷ポジション（図１（Ｃ）参照）に設定されていないと判定した場合は、ステップＳ１１０に進む。
【００５９】
ステップＳ１１０では、情報処理装置が画像表示ポジション（図１（Ａ）または（Ｂ）参照）に設定されていると判定する。なお、この場合は、
（Ａ）横画像表示ポジション
（Ｂ）縦画像表示ポジション
いずれのポジションであるかを判定し、判定結果に応じて表示部の表示画像の向きを制御する処理を行うことになる。この処理については既存の技術であり、説明を省略する。
【００６０】
ステップＳ１０１において、情報処理装置が印刷ポジション（図１（Ｃ）参照）に設定されていると判定した場合は、ステップＳ１０２に進み、表示部に表示すべき印刷関連情報の有無を判定する。
【００６１】
表示部に表示すべき印刷関連情報が有ると判定した場合は、ステップＳ１０３に進み、表示部に印刷関連情報を表示し、無いと判定した場合はステップＳ１０３の処理を省略してステップＳ１０４に進む。
【００６２】
表示部に表示する印刷関連情報の例について図７を参照して説明する。印刷関連情報はプリンタ部を利用した印刷処理に際して表示部に表示する印刷設定情報や制御情報などを示すアイコンなどからなる情報である。図７に示すように、印刷関連情報には、
（１）日付プリントの設定情報
（２）プリント仕上げの設定情報
（３）割付け印刷の設定情報
（４）リボンカートリッジの設定情報
例えばこれらの情報がある。なお、図７に示す情報は一例であり、この他にも様々な情報が利用可能である。
【００６３】
（１）日付プリントの設定情報は、プリントする画像に日付のみを書き込む設定とするか、日付と時間を書き込む設定とするか、いずれも書き込まない設定とするかの情報である。日付のみのアイコンと、日付と時間のアイコンがあり、これらの設定がなされている場合には各アイコンが印刷関連情報として表示部に表示される。いずれの設定も無い場合は印刷関連情報の表示は行われない。
【００６４】
（２）プリント仕上げの設定情報は、プリント画像に設定するフチの態様を示す情報である。この例では、フチの種類として２種類（フチあり１，２）の設定が可能であり、いずれかのフチ設定がなされている場合は、各アイコンが印刷関連情報として表示部に表示される。いずれの設定も無い場合は印刷関連情報の表示は行われない。
【００６５】
（３）割付け印刷の設定情報は、プリント画像の割付け態様を示す情報である。この例では、割付けの種類として３種類（４／９／１６分割）の設定が可能であり、いずれかの割付けの設定がなされている場合は、各アイコンが印刷関連情報として表示部に表示される。いずれの設定も無い場合は印刷関連情報の表示は行われない。
【００６６】
（４）リボンカートリッジの設定情報は、プリンタ部に装着されているリボンカートリッジの種類を示す情報である。Ｐサイズ、Ｌサイズ、クリーニング用のいずれかが装着されている場合は、各アイコンが印刷関連情報として表示部に表示される。いずれも装着されていない場合は印刷関連情報の表示は行われない。
【００６７】
このように、設定状態に応じて図７に示す各種のアイコンが印刷関連情報として表示部に表示される。表示例を図８に示す。図８に示すように表示部３１０内に、プリンタの設定状態に応じた各種のアイコンからなる印刷関連情報３１１が表示される。
【００６８】
この図８に示す表示状態は、図６のフローにおけるステップＳ１０２において表示部に表示すべき印刷関連情報が有ると判定し、ステップＳ１０３において表示部に印刷関連情報を表示した際の処理例である。
【００６９】
ステップＳ１０２において表示部に表示すべき印刷関連情報が無いと判定する場合とは、例えば、図７に示す（１）〜（４）の各設定情報がすべて表示情報のない設定である場合（図７の表の右端の欄の設定の場合）である。この場合は、ステップＳ１０３の処理を省略してステップＳ１０４に進む。
【００７０】
ステップＳ１０３において表示部に印刷関連情報を表示した後、あるいはステップＳ１０３の処理を省略してステップＳ１０４に進むと、ステップＳ１０４では、印刷準備が完了したか否かを判定する。具体的には、プリンタ部に用紙トレイがセットされ、インクリボンの装着が完了したか否かを判定する。これらは、図５に示すトレイセンサ２１１、インクリボンセンサ２１２の検出情報を制御部２０１が入力して判定する。
【００７１】
ステップＳ１０４において、用紙トレイのセットとインクリボンの装着が確認され、印刷準備が完了したと判定した場合は、ステップＳ１０４の判定はＹｅｓとなりステップＳ１０５に進む。ステップＳ１０４において、印刷準備が完了したと判定されなかつた場合は、ステップＳ１０４の判定はＮｏとなりステップＳ１０１に戻り、ステップＳ１０１以下の処理を繰り返す。
【００７２】
印刷準備が完了し、ステップＳ１０４においてＹｅｓの判定がなされると、ステップＳ１０５に進む。ステップＳ１０５では、操作パネル上にプリンタ用アイコンを表示する。この処理について、図８を参照して説明する。
【００７３】
図８に示すように、操作パネル（入力部）３２０に、プリンタ用アイコン３２１が表示される。このプリンタ用アイコン３２１の表示処理は、例えば、半透明の表示パネル（入力部）３２０の下部に設定されたＬＥＤの発光処理による表示処理として行われる。プリンタ用アイコン３２１は、プリント処理の開始スイッチとして利用され、ユーザがプリンタ用アイコン３２１の位置を触れることでプリンタ用アイコン３２１位置の接触センサ、あるいはスイッチが操作情報を制御部に伝達し、制御部がプリンタ部の動作を開始させる。この処理によってプリント処理が行われる。
【００７４】
なお、先にも説明したように、図８に示すプリンタ用アイコン３２１は、発光処理が実行されない限り視認できない状態であり、操作パネル（入力部）３２０に表示情報は何ら存在しない状態とされている。また、表示パネル（入力部）３２０はタッチセンサ機能を有するが、このタッチセンサ機能も、ステップＳ１０４においてＹｅｓの判定がなされた場合、すなわち、プリンタ部に用紙トレイがセットされ、インクリボンの装着が完了し、印刷準備が完了したことが確認された場合に、制御部２０１によって有効化処理が行われ、タッチセンサとして機能することになる。
【００７５】
上述したように、本発明の情報処理装置は、三次元センサの検出情報に応じて、情報処理装置が、
（Ａ）横画像表示ポジション
（Ｂ）縦画像表示ポジション
（Ｃ）印刷ポジション
これらのどのポジションに設定されているかを判別し、（Ｃ）印刷ポジションにあると判別された場合、図１（Ｃ）や図８に示すように、表示部にプリンタ部の制御情報や設定情報から構成されるアイコンなどの印刷関連情報を表示する。
【００７６】
さらに、印刷ポジションにあり、かつ、用紙トレイやインクリボンの装着が完了し、プリント開始可能状態に設定されたことが確認された場合に、フォトフレーム部の端部に構成された操作パネル上にプリンタの操作スイッチ等のプリンタ用アイコンを表示する構成とした。
【００７７】
情報処理装置が、（Ａ）横画像表示ポジションまたは（Ｂ）縦画像表示ポジションに設定されている状態では、表示部に印刷関連情報が表示されず、また操作パネル上にもプリンタ用アイコンが表示されない。従って、（Ａ）横画像表示ポジション、または（Ｂ）縦画像表示ポジションに設定された状態では、すっきりとした外観のフォトフレームとして利用することが可能となる。
【００７８】
また、印刷ポジションに設定された場合には、表示部に印刷設定情報などの各種の印刷関連情報が表示されるので、ユーザはプリンタの設定情報を確認し、かつ希望する場合にはリモコンなどを利用して設定を変更することができる。
さらに、用紙トレイおよびインクリボンの装着が完了し、プリント開始可能状態になった場合にのみプリント開始スイッチとしてのアイコンが操作パネル上に表示され、ユーザは迷うことなくプリント開始スイッチとしてのアイコンを操作することでプリントを開始することができる。
【００７９】
以上、特定の実施例を参照しながら、本発明について詳解してきた。しかしながら、本発明の要旨を逸脱しない範囲で当業者が実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００８０】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【００８１】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００８２】
以上、説明したように、本発明の一実施例の構成によれば、プリンタ部および表示部を有するデジタルフォトフレームなどの情報処理装置において、プリンタ利用ポジションを判別してプリンタ利用時にのみ表示部に印刷関連情報を表示することが可能となる。具体的には、フォトフレーム部とプリンタ部を有する情報処理装置において、（Ａ）横画像表示ポジション、（Ｂ）縦画像表示ポジション、（Ｃ）印刷ポジション、これらの３ポジションを、三次元センサを用いて判別する。制御部が、センサ検出信号によって（Ｃ）印刷ポジションにあると判定した場合にのみ表示部に印刷設定情報などの印刷関連情報を表示する。さらに、用紙トレイのセットなど印刷準備が完了したことが確認された場合に、操作パネルに印刷開始用のスイッチとして機能するアイコンを表示する。この構成により、フォトフレームとして利用する場合には、印刷関連情報の表示を行なわず、すっきりとした外観に設定することができる。
【符号の説明】
【００８３】
１００  情報処理装置
１１０  フォトフレーム部
１１１  表示部
１１２  操作パネル
１２０  プリンタ部
１２１  用紙トレイ
１２５  印刷関連情報
１２６  プリンタ用アイコン
１３０  表示画像
１５１  用紙入出口
１５２  開閉扉
１６０  プリント用紙
２０１  制御部
２０２  表示部
２０３  入力部（操作パネル）
２０４  位置センサ（三次元センサ）
２０５  プリンタ部
２０６  メディアＩＦ
２０７  通信ＩＦ
２０８  メモリ
２１１  トレイセンサ
２１２  インクリボンセンサ
３１０  表示部
３１１  印刷関連情報
３２０  操作パネル（入力部）
３２１  プリンタ用アイコン
【図５】
2011042112.tif 000003
【図６】
2011042112.tif 000004
【図７】
2011042112.tif 000005
【図１】
2011042112.tif 000006
【図２】
2011042112.tif 000007
【図３】
2011042112.tif 000008
【図４】
2011042112.tif 000009
【図８】
2011042112.tif 000010